(57)【要約】【課題】照明深度を深くすることができる密着型イメージセンサを提供することである。【解決手段】実施形態に係る密着型イメージセンサは、対象物に向けて光を放射し、前記対象物からの反射光を透過させる照明部と；前記照明部を透過した前記反射光を集光する光学要素部と；前記集光した反射光を受光する検出部と；を具備している。【選択図】図１
2016066963.tif 000002
【特許請求の範囲】
【請求項１】
対象物に向けて光を放射し、前記対象物からの反射光を透過させる照明部と；
前記照明部を透過した前記反射光を集光する光学要素部と；
前記集光した反射光を受光する検出部と；
を具備した密着型イメージセンサ。
【請求項２】
前記照明部と、前記光学要素部と、前記検出部と、が直線上に並べて配置されている請求項１記載の密着型イメージセンサ。
【請求項３】
前記照明部は、有機エレクトロルミネセンスにより発光する請求項１または２に記載の密着型イメージセンサ。
【発明の詳細な説明】
【技術分野】
【０００１】
本発明の実施形態は、密着型イメージセンサに関する。
【背景技術】
【０００２】
画像読み取り装置に用いられる光学結像系には、レンズで縮小した画像イメージを結像させる縮小光学系と、原稿と等倍の画像イメージを結像させる等倍光学系とがある。  
等倍光学系である密着型イメージセンサは、縮小光学系であるラインイメージセンサなどと比べて部品点数が少なく、また、光学検出部（光学センサ）、レンズ、および照明部を原稿に近接させて配置できる。  
また、照明部を原稿に近接させて配置できるため、照明深度が深くなり、いわゆる原稿浮きに対する光量変化が小さくなる。原稿浮きに対する光量変化が小さくなると、得られる画像の品質が向上する。  
しかしながら、近年の高画質化や高速化などの要求から照明深度をさらに深くすることができる密着型イメージセンサの開発が望まれていた。
【先行技術文献】
【特許文献】
【０００３】
【特許文献１】特開２００５−２７７７７４号公報
【特許文献２】特開２０１１−１８４８０号公報
【発明の概要】
【発明が解決しようとする課題】
【０００４】
本発明が解決しようとする課題は、照明深度を深くすることができる密着型イメージセンサを提供することである。
【課題を解決するための手段】
【０００５】
実施形態に係る密着型イメージセンサは、対象物に向けて光を放射し、前記対象物からの反射光を透過させる照明部と；前記照明部を透過した前記反射光を集光する光学要素部と；前記集光した反射光を受光する検出部と；を具備している。
【発明の効果】
【０００６】
本発明の実施形態によれば、照明深度を深くすることができる密着型イメージセンサを提供することができる。
【図面の簡単な説明】
【０００７】
【図１】本実施の形態に係る密着型イメージセンサ１を例示するための模式断面図である。
【図２】比較例に係る密着型イメージセンサ２００を例示するための模式構成図である。
【図３】照明部３を例示するための模式断面図である。
【図４】照明部３ａの変形例を例示するための模式断面図である。
【発明を実施するための形態】
【０００８】
実施形態に係る発明は、対象物に向けて光を放射し、前記対象物からの反射光を透過させる照明部と；前記照明部を透過した前記反射光を集光する光学要素部と；前記集光した反射光を受光する検出部と；を具備した密着型イメージセンサである。  
この密着型イメージセンサによれば、照明深度を深くすることができる。
【０００９】
また、前記照明部と、前記光学要素部と、前記検出部と、が直線上に並べて配置されているものとすることができる。  
この様にすれば、照明深度を深くすることが容易となる。
【００１０】
また、前記照明部は、有機エレクトロルミネセンスにより発光するものとすることができる。  
この様にすれば、広い領域に光を放射することができる。また、密着型イメージセンサの薄型化を図ることができる。
【００１１】
以下、図面を参照しつつ、実施の形態について例示をする。なお、各図面中、同様の構成要素には同一の符号を付して詳細な説明は適宜省略する。  
図１は、本実施の形態に係る密着型イメージセンサ１を例示するための模式断面図である。  
図１に示すように、密着型イメージセンサ１には、筐体２、照明部３、光学要素部４、検出部５、および制御部６が設けられている。
【００１２】
筐体２は、照明部３、光学要素部４、および検出部５を保持する。  
筐体２の一方の面には凹部２ａが設けられている。凹部２ａの開口部分を塞ぐようにして照明部３が取り付けられている。  
また、凹部２ａの内部には制御部６を設けることができる。なお、制御部６の配設位置は凹部２ａの内部に限定されるわけではなく、例えば、筐体２の外部とすることもできる。
凹部２ａが設けられる側とは反対側の面には、凹部２ｂが設けられている。凹部２ｂの開口部分を塞ぐようにして検出部５が取り付けられている。
【００１３】
凹部２ａの底部と、凹部２ｂの底部との間を貫通する孔部２ｃが設けられている。孔部２ｃの内部には、光学要素部４が取り付けられている。  
筐体２の材料には特に限定はなく、ある程度の剛性を有するものであればよい。例えば、筐体２の材料は、ガラスエポキシ樹脂などの樹脂や、アルミ合金などの金属などとすることができる。
【００１４】
図１に示すように、光学要素部４の一方の端部は、照明部３と対峙している。  
また、光学要素部４の他方の端部は、検出部５と対峙している。  
この様に、本実施の形態に係る密着型イメージセンサ１は、照明部３、光学要素部４、および検出部５が直線上に並べられた構成を有している。
【００１５】
図２は、比較例に係る密着型イメージセンサ２００を例示するための模式構成図である。
図２に示すように、密着型イメージセンサ２００には、照明部２０３、光学要素部４、および検出部５が設けられている。  
比較例に係る密着型イメージセンサ２００においては、照明部２０３は、光学要素部４の一方の端部の周辺に設けられている。  
光学要素部４の一方の端部の周辺に照明部２０３を設けると、照明部２０３と照射位置１００ａとの間の距離が長くなる。照明部２０３と照射位置１００ａとの間の距離が長くなると、光量を増加させる必要が生じ、原稿浮きに対する光量変化の影響が大きくなる。すなわち、照明深度が浅くなる。
【００１６】
一方、本実施の形態に係る密着型イメージセンサ１は、照明部３、光学要素部４、および検出部５が直線上に並べられた構成を有しているので、照明部３と照射位置１００ａとの間の距離を短くすることができる。  
そのため、必要となる光量を少なくすることができ、原稿浮きに対する光量変化の影響を小さくすることができる。すなわち、照明深度を深くすることができる。
【００１７】
照明部３は、読み取り対象物１００の照射位置１００ａに向けて光Ｌ１を放射する。読み取り対象物１００には、例えば、文字、記号、図面、写真などが記載されている。  
また、照明部３は、照射位置１００ａからの反射光Ｌ２を透過させる。  
すなわち、照明部３は、読み取り対象物１００に向けて光Ｌ１を放射する機能と、読み取り対象物１００からの反射光Ｌ２を透過させて、光学要素部４に入射させる機能とを有する。  
照明部３は、この様な２つの機能を併せ持つ。そのため、照明部３は、光学要素部４の一方の端部に対峙させて設けることができる。
【００１８】
また、後述するように、照明部３は、光Ｌ１を主に照射位置１００ａに向けて放射する。そのため、照明部３から光学要素部４に入射する光Ｌ１を抑制することができる。  
すなわち、反射部１１は、読み取り対象物１００からの反射光Ｌ２に対する外乱光を抑制する機能をも有する。  
なお、照明部３に関する詳細は後述する。
【００１９】
光学要素部４は、照明部３を透過した反射光Ｌ２を集光させて、検出部５の検出面上に結像させる。  
この場合、光学要素部４は、正立等倍レンズとすることが好ましい。  
光学要素部４は、例えば、シリンドリカルレンズやセルフォック（登録商標）レンズなどとすることができる。
【００２０】
検出部５は、光学要素部４により集光した反射光を受光する。そして、検出部５は、受光した反射光Ｌ２から画像データを作成する。  
反射光Ｌ２には、読み取り対象物１００に記載されていた文字などの情報が光の明暗として含まれている。  
検出部５は、受光した反射光Ｌ２の明暗を電荷の量の多少に光電変換し、それを順次読み出して電気信号に変換して画像データを作成する。  
検出部５は、例えば、ＣＣＤ（Charge Coupled Device）センサやＣＭＯＳ（Complementary Metal-Oxide Semiconductor）センサなどとすることができる。
【００２１】
制御部６は、照明部３および検出部５の動作を制御する。  
制御部６は、例えば、照明部３の点灯と消灯を制御する。また、制御部６は、例えば、照明部３から放射される光Ｌ１の光量を制御することもできる。  
また、制御部６は、例えば、検出部５の検出タイミングの制御、検出部５から出力された画像データの編集、外部への画像データの出力などを行うことができる。
【００２２】
次に、照明部３についてさらに例示をする。  
図３は、照明部３を例示するための模式断面図である。  
なお、図３中の矢印Ｘ、Ｙ、Ｚは互いに直交する三方向を表している。例えば、基板３２または基板３３の主面に対して垂直な方向をＺ方向としている。また、基板３２または基板３３の主面に対して平行な平面内の１つの方向をＹ方向とし、Ｚ方向とＹ方向とに垂直な方向をＸ方向としている。  
また、本明細書において、「平面視」とは、Ｚ方向から見た場合を表している。  
また、本明細書において、「光の透過性を有する」、「光を透過する」とは、光の透過率が１００パーセントの場合に限定されない。「光の透過性を有する」、「光を透過する」とは、例えば、可視光の波長を有する光に対して透過率が５０パーセント以上であればよい。
【００２３】
図３に示すように、照明部３には、基板３２、基板３３、封止部３４、発光部１０、および透過部２０が設けられている。  
基板３２は、板状を呈している。  
基板３２は、絶縁性と光の透過性とを有した材料を用いて形成されている。  
基板３３は、基板３２に対峙して設けられている。  
基板３３は、板状を呈している。  
基板３３は、光の透過性を有した材料を用いて形成されている。  
基板３２と基板３３は、例えば、ナトリウムやカリウムなどのアルカリ成分を含まない無アルカリガラス、ソーダ石灰ガラス（ソーダガラスとも称する）、石英、ポリエチレンテレフタレート、ポリプロピレン、ポリカーボネート、アクリルなどを用いて形成することができる。  
この場合、基板３２と基板３３は、透湿性の低い材料から形成することが好ましい。  
例えば、基板３２と基板３３は、無アルカリガラス、ソーダ石灰ガラス、石英などの無機材料から形成することが好ましい。
【００２４】
封止部３４は、枠状を呈し、基板３２と基板３３の間に設けられている。  
封止部３４は、基板３２および基板３３の周縁を封止している。  
封止部３４は、例えば、ＵＶ硬化型の樹脂や、フリットなどのガラス材料などから形成することができる。  
この場合、封止部３４は、フリットなどのガラス材料のように透湿性の低い材料から形成することが好ましい。  
基板３２、基板３３、および封止部３４により画された空間には、例えば、窒素ガスや、アルゴンガスなどの不活性ガスなどを封入することができる。  
また、基板３２、基板３３、および封止部３４により画された空間には、例えば、絶縁性と光の透過性とを有した液体を充填することもできる。絶縁性と光の透過性とを有した液体は、例えば、Ａｌ錯体を含有するシリコーン溶液などとすることができる。
【００２５】
発光部１０は、反射部１１、電極１２、有機発光部１３、および電極１４を有する。  
反射部１１は、基板３２の基板３３と対峙する側の面に設けられている。  
反射部１１は、例えば、Ｘ方向またはＹ方向に伸び、平面視において線状を呈したものとすることができる。  
図３に例示をした反射部１１は、Ｙ方向に伸び、平面視において線状を呈したものの場合である。
【００２６】
線状を呈する反射部１１は、複数設けることができる。  
この場合、複数の反射部１１の配設形態は、所定の間隔をおいて設けられたものであってもよいし、任意の間隔をおいて設けられたものであってもよい。
【００２７】
また、反射部１１は、例えば、Ｘ方向に伸びる部分と、Ｙ方向に伸びる部分とを有し、平面視において網目状の形態を有するものとすることもできる。  
この場合、複数の網目の寸法は、同じであってもよいし、異なっていてもよい。
【００２８】
反射部１１は、有機発光部１３から放射された光Ｌ１を反射して、光Ｌ１を照明部３の正面側（光Ｌ１の出射側）に出射させる。すなわち、反射部１１は、リフレクタの機能を有する。  
また、反射部１１は、有機発光部１３から放射された光Ｌ１が主に照射位置１００ａ側に放射される様にする。そのため、有機発光部１３から放射された光Ｌ１が検出部５に入射し難くなるようにすることができる。すなわち、反射部１１は、読み取り対象物１００からの反射光Ｌ２に対する外乱光を抑制する機能をも有する。
【００２９】
また、後述するように、反射部１１は、陽極側の電気抵抗を低減させる機能をも有する。
【００３０】
反射部１１は、有機発光部１３から放射された光Ｌ１に対する反射率が高く、導電性を有する材料を用いて形成することができる。  
反射部１１は、例えば、銀、アルミニウム、銅、金、これらの合金などの金属を用いて形成することができる。
【００３１】
反射部１１、電極１２、有機発光部１３、および電極１４が設けられた領域、すなわち発光部１０では、有機エレクトロルミネセンスによる発光が生じる。  
一方、反射部１１は、リフレクタの機能を有するため、照明部３に入射した反射光Ｌ２が透過しない。  
しかしながら、照明部３に入射した反射光Ｌ２は、反射部１１同士の間を透過することができる。  
そのため、透過部２０は、平面視における反射部１１同士の間の領域となる。
【００３２】
電極１２は、反射部１１の上に設けられている。  
この場合、電極１２は、反射部１１と電気的に接続されている。  
電極１２は、基板３２の基板３３と対峙する側の面に設けられ、反射部１１を覆っている。  
電極１２は、例えば、有機発光部１３に正孔（ホール）を注入するための電極（陽極）とすることができる。  
電極１２は、基板３２の基板３３と対峙する側の面に設けられているので、反射部１１同士の間を透過する反射光Ｌ２を透過させる機能をも有している。  
そのため、電極１２は、導電性と光の透過性とを有した材料を用いて形成されている。
電極１２は、例えば、ＩＴＯ（Indium Tin Oxide）、ＺｎＯ（Zinc oxide）、ＩＺＯ（登録商標）、ＩＧＺＯなどを用いて形成することができる。  
反射部１１および電極１２の少なくともいずれかは、封止部３４の外側に設けられた図示しない端子と電気的に接続されている。
【００３３】
ここで、電極１２は、導電性と光の透過性とを有した材料を用いて形成されるため、アルミニウムなどのような良導電性材料を用いる場合と比べて電気抵抗が高くなる。  
そのため、照明部３の中央部と端部とで輝度が大きく異なるという問題が発生するおそれがある。  
そこで、電極１２と電気的に接続され、導電性を有する反射部１１を設けることで、陽極側の電気抵抗を低減させるようにしている。
【００３４】
なお、反射部１１の上に電極１２を設ける場合を例示したが、電極１２の上に反射部１１を設けることもできる。
【００３５】
また、反射光Ｌ２は、反射部１１同士の間を通過するので、反射部１１同士の間にある電極１２を除去するようにすれば、反射光Ｌ２が減衰するのを抑制することができる。そのため、検出感度を向上させることができる。
【００３６】
一方、反射部１１同士の間にある電極１２を除去すれば、その分電気抵抗が高くなるおそれがある。電気抵抗が高くなると、輝度むらの低減効果が低減するおそれがある。  
そのため、反射部１１同士の間にある電極１２の除去は、照明部３の大きさ、検出感度の程度、反射部１１の配置、電極１２および反射部１１の電気抵抗などを考慮して適宜決定することができる。
【００３７】
有機発光部１３は、電極１２を介して、反射部１１の上方に設けられている。  
この場合、有機発光部１３は、電極１２と電気的に接続されている。  
平面視における有機発光部１３の形態は、反射部１１の形態と同様とすることができる。
例えば、平面視における有機発光部１３の形態は、Ｘ方向またはＹ方向に伸び、線状を呈したものとすることができる。平面視における有機発光部１３の形態は、Ｘ方向に伸びる部分と、Ｙ方向に伸びる部分とを有し、網目状の形態を有するものとすることもできる。
【００３８】
また、平面視における有機発光部１３の形態は、複数の島状や点状などとすることもできる。すなわち、有機発光部１３は、選択的に設けることができる。  
有機発光部１３の形態を複数の島状や点状などとした場合には、それぞれの有機発光部１３を個別に点灯させるようにしてもよい。例えば、図示しないＴＦＴ（Thin Film transistor）などのスイッチング素子を反射部１１の下方などに設けて、複数の有機発光部１３の一部のみを点灯させたり、全部を点灯させたりすることができる。  
この様にすれば、光量や照射位置の制御を行うことができる。
【００３９】
有機発光部１３は、有機エレクトロルミネセンスにより発光する。  
有機発光部１３は、例えば、有機発光ダイオード（ＯＬＥＤ；Organic light-emitting diode）などとすることができる。  
有機発光部１３は、例えば、４，４’−ビス［Ｎ−（２−ナフチル）−Ｎ−フェニル−アミノ］ビフェニル（一般的に、α−ＮＰＤともいう）を含む正孔輸送層、トリス（８−キノリノラト）アルミニウム錯体（一般的に、Ａｌｑ３ともいう）を含む有機発光層、フッ化リチウム（ＬｉＦ）を含む電子注入層を積層したものとすることができる。  
ただし、有機発光部１３の材料や構成は例示をしたものに限定されるわけではなく適宜変更することができる。  
例えば、有機発光部１３は、有機発光層のみからなる単層構造とすることもできるし、フタロシアニンなどを含む正孔注入層、フルオレン誘導体などを含む電子輸送層をさらに有する多層構造とすることもできる。  
また、有機発光部１３は、複数の有機発光層をＨＡＴ（ＣＮ）６などを含む電荷発生層（ＣＧＬ；Charge Generation Layer）を介して直列に接続したマルチフォトンエミッション（ＭＰＥ；Multi-Photo-Emission）構造を有するものとすることもできる。
【００４０】
電極１４は、有機発光部１３の上に設けられている。  
この場合、電極１４は、有機発光部１３と電気的に接続されている。  
平面視における電極１４の形態は、有機発光部１３の形態と同様とすることができる。
電極１４は、例えば、有機発光部１３に電子を注入するための電極（陰極）とすることができる。  
また、電極１４は、有機発光部１３から放射された光Ｌ１を透過させる。  
そのため、電極１４は、導電性と光の透過性とを有した材料を用いて形成されている。
電極１４は、例えば、Ａｇ、ＭｇＡｇ、Ａｕなどからなり、膜厚が２０ｎｍ以下の薄膜状とし、導電性と光の透過性とを持たせたものとすることができる。また、電極１４は、例えば、ＩＴＯ（Indium Tin Oxide）、ＺｎＯ（Zinc oxide）、ＩＺＯ（登録商標）、ＩＧＺＯなどを用いて形成することもできる。  
この場合、電極１４の材料は、電極１２の材料と同じとすることもできるし、電極１２の材料と異なるものとすることもできる。  
電極１４は、封止部３４の外側に設けられた図示しない端子と電気的に接続されている。
【００４１】
図４は、照明部３の変形例を例示するための模式断面図である。
図４に例示をした照明部３ａは、発光部１０が、正面側（光Ｌ１の出射側）の基板３３に設けられたボトムエミッション構造となっている。すなわち、図３に例示をした照明部３は、発光部１０が、背面側の基板３２に設けられたトップエミッション構造となっており、照明部３ａと照明部３とでは発光部１０の配設位置が異なる。
発光部１０は、電極１２の機能を兼ねた反射部１１、有機発光部１３及び電極１４を有する。
電極１４は、基板３３の基板３２と対峙する側の面に設けられている。電極１４は、例えば、Ｘ方向またはＹ方向に伸び、平面視において平坦な膜状を呈したものとすることができる。透明電極１４は、例えば、有機発光部１３に正孔（ホール）を注入するための電極（陽極）とすることができる。  
また、電極１４は、有機発光部１３から放射された光Ｌ１を透過させる。  
そのため、電極１４は、導電性と光の透過性とを有した材料を用いて形成されている。  電極１３は、例えば、ＩＴＯ（Indium Tin Oxide）、ＺｎＯ（Zinc oxide）、ＩＺＯ（登録商標）、ＩＧＺＯなどを用いて形成することができる。  
電極１４は、封止部３４の外側に設けられた図示しない端子と電気的に接続されている。
【００４２】
また、反射光Ｌ２は、反射部１１同士の間を通過するので、反射部１１同士の間にある電極１３を除去するようにすれば、反射光Ｌ２が減衰するのを抑制することができる。そのため、検出感度を向上させることができる。
【００４３】
一方、反射部１１同士の間にある電極１４を除去すれば、その分電気抵抗が高くなるおそれがある。電気抵抗が高くなると、輝度むらの低減効果が低減するおそれがある。
そのため、反射部１１同士の間にある電極１４の除去は、照明部３の大きさ、検出感度の程度を考慮して適宜決定することができる。
【００４４】
有機発光部１３は、電極１４の上に設けられている。  
この場合、有機発光部１３は、電極１４と電気的に接続されている。  
平面視における有機発光部１３の形態は、電極１３の形態と同様とすることができる。
例えば、平面視における有機発光部１３の形態は、Ｘ方向またはＹ方向に伸び、平面視において平坦な膜状を呈したものとすることができる。
【００４５】
また、平面視における有機発光部１３の形態は、複数の島状や点状などとすることもできる。すなわち、有機発光部１３は、選択的に設けることができる。  
有機発光部１３の形態を複数の島状や点状などとした場合には、それぞれの有機発光部１３を個別に点灯させるようにしてもよい。例えば、図示しないＴＦＴ（Thin Film transistor）などのスイッチング素子を電極１４の下方などに設けて、複数の有機発光部１３の一部のみを点灯させたり、全部を点灯させたりすることができる。  
この様にすれば、光量や照射位置の制御を行うことができる。
【００４６】
電極１２の機能を兼ねる反射部１１は、有機発光部１３の上に設けられている。
反射部１１は、電極１２の機能を兼ねるため、有機発光部１３から放射された光Ｌ１に対する反射率が高く、かつ、導電性を有する材料を用いて形成することができる。  
反射部１１は、例えば、銀、アルミニウム、銅、金、これらの合金などの金属を用いて形成することができる。これにより、反射部１１は、例えば、有機層１２に電子（エレクトロン）を注入するための電極（陰極）とすることができる。  
反射部１１は、例えば、Ｘ方向またはＹ方向に伸び、平面視において線状を呈したものとすることができる。  
図４に例示をした反射部１１は、Ｙ方向に伸び、平面視において線状を呈したものの場合である。
【００４７】
線状を呈する反射部１１は、複数設けることができる。  
この場合、複数の反射部１１の配設形態は、所定の間隔をおいて設けられたものであってもよいし、任意の間隔をおいて設けられたものであってもよい。
【００４８】
また、反射部１１は、例えば、Ｘ方向に伸びる部分と、Ｙ方向に伸びる部分とを有し、平面視において網目状の形態を有するものとすることもできる。  
この場合、複数の網目の寸法は、同じであってもよいし、異なっていてもよい。
【００４９】
反射部１１は、有機発光部１３から放射された光Ｌ１を反射して、光Ｌ１を照明部３の正面側（光Ｌ１の出射側）に出射させる。すなわち、反射部１１は、リフレクタの機能を有する。  
また、反射部１１は、有機発光部１３から放射された光Ｌ１が主に照射位置１００ａ側に放射される様にする。そのため、有機発光部１３から放射された光Ｌ１が検出部５に入射し難くなるようにすることができる。すなわち、反射部１１は、読み取り対象物１００からの反射光Ｌ２に対する外乱光を抑制する機能をも有する。
【００５０】
電極１２の機能を有する反射部１１、有機発光部１３、および電極１４が設けられた領域、すなわち発光部１０では、有機エレクトロルミネセンスによる発光が生じる。  
一方、反射部１１は、リフレクタの機能を有するため、照明部３に入射した反射光Ｌ２が透過しない。  
しかしながら、照明部３に入射した反射光Ｌ２は、反射部１１同士の間を透過することができる。  
そのため、透過部２０は、平面視における反射部１１同士の間の領域となる。
反射部１１は、封止部３４の外側に設けられた図示しない端子と電気的に接続されている。
【００５１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５２】
１  密着型イメージセンサ、２  筐体、３  照明部、３ａ  照明部、４  光学要素部、５  検出部、６  制御部、１０  発光部、１１  反射部、１２  電極、１３  有機発光部、１４  電極、２０  透過部、３２  基板、３３  基板、３４  封止部、１００  読み取り対象物、１００ａ  照射位置、Ｌ１  光、Ｌ２  反射光
【図１】
2016066963.tif 000003
【図２】
2016066963.tif 000004
【図３】
2016066963.tif 000005
【図４】
2016066963.tif 000006